(57)【要約】      （修正有）【課題】簡単な構造でありながら２つの使用態様を提供できる陳列装置を提供する。【解決手段】略水平状態のときに商品を載置可能な第１陳列部２７、３４、３８と、第１陳列部と略直交し略水平状態のときに商品を載置可能な第２陳列部２９、３５、３９と、第１陳列部及び第２陳列部を支持する単一の基枠１１と、第１陳列部が略水平状態で第２陳列部が略垂直状態のときに床面に載置される第１接床部Ｃｃ、２１と、第２陳列部が略水平状態で第１陳列部が略垂直状態のときに床面に載置される第２接床部Ｃｃ、２１と、を備えることを特徴とする陳列装置。【選択図】図７
0003119907.tif 000002
【実用新案登録請求の範囲】
【請求項１】
略水平状態のときに商品を載置可能な第１陳列部と、
該第１陳列部と略直交し、略水平状態のときに商品を載置可能な第２陳列部と、
上記第１陳列部及び第２陳列部を支持する単一の基枠と、
上記第１陳列部が略水平状態で上記第２陳列部が略垂直状態のときに床面に載置される第１接床部と、
上記第２陳列部が略水平状態で上記第１陳列部が略垂直状態のときに床面に載置される第２接床部と、
を備えることを特徴とする陳列装置。
【請求項２】
請求項１記載の陳列装置において、
上記第１陳列部と第２陳列部をそれぞれ複数具備している陳列装置。
【請求項３】
請求項２記載の陳列装置において、
上記第１陳列部と第２陳列部が交互に並べて設けられ、これら第１陳列部と第２陳列部が全体として階段状をなしている陳列装置。
【請求項４】
請求項１から３のいずれか１項記載の陳列装置において、
上記第１陳列部と第２陳列部の形状が異なる陳列装置。
【請求項５】
請求項１から４のいずれか１項記載の陳列装置において、
上記第１陳列部及び第２陳列部が、互いに平行をなす直線状の棒材によって構成されている陳列装置。
【請求項６】
請求項５記載の陳列装置において、
上記第１陳列部と第２陳列部の少なくとも一方の上記一対の棒材の間に、商品を載置可能な商品載置面を備えるパレットを支持可能とした陳列装置。
【請求項７】
請求項１から６のいずれか１項記載の陳列装置において、
上記第１接床部及び第２接床部が、少なくとも３つ備えられている陳列装置。
【請求項８】
請求項７記載の陳列装置において、
上記第１接床部の一部が上記陳列装置に対する取付位置を変えることなくそのまま第２接床部として利用可能であり、
該第１接床部の残りが着脱式であり、上記陳列装置に対する取付位置を変更することにより上記第２接床部として利用可能である陳列装置。
【請求項９】
請求項１から８のいずれか１項記載の陳列装置において、
上記第１接床部及び第２接床部が車輪である陳列装置。
【請求項１０】
請求項１から９のいずれか１項記載の陳列装置において、
上記第１陳列部または第２陳列部のうち略水平状態にあるものに載置された商品の情報を表示するための表示部材を取り付けるための取付部を具備する陳列装置。
【考案の詳細な説明】
【技術分野】
【０００１】
本考案は、商品を陳列するための陳列装置に関する。
【背景技術】
【０００２】
陳列装置は略水平（床面と平行）な陳列面（陳列部）を備えており、この陳列面に商品を載置可能である。
【考案の開示】
【考案が解決しようとする課題】
【０００３】
商品を陳列装置に陳列したときに、商品の種類によっては商品の陳列態様（陳列装置の使用態様）を変更した方が好ましい場合がある。
しかし従来の陳列装置が提供できる使用態様は一つのみだったので、別の使用態様で商品を陳列したい場合は、別の陳列装置を用意する必要があった。そのため陳列者（店）の経済的負担が大きく、さらに使わない陳列装置の保管スペースが必要であった。
【０００４】
本考案の目的は、簡単な構造でありながら２つの使用態様を提供できる陳列装置を提供することにある。
【課題を解決するための手段】
【０００５】
本考案は、略水平状態のときに商品を載置可能な第１陳列部と、該第１陳列部と略直交し、略水平状態のときに商品を載置可能な第２陳列部と、上記第１陳列部及び第２陳列部を支持する単一の基枠と、上記第１陳列部が略水平状態で上記第２陳列部が略垂直状態のときに床面に載置される第１接床部と、上記第２陳列部が略水平状態で上記第１陳列部が略垂直状態のときに床面に載置される第２接床部と、を備えることを特徴としている。
【０００６】
上記第１陳列部と第２陳列部をそれぞれ複数具備しているのが好ましい。
【０００７】
上記第１陳列部と第２陳列部が交互に並べて設けられ、これら第１陳列部と第２陳列部が全体として階段状をなしているのが好ましい。
【０００８】
上記第１陳列部と第２陳列部の形状が異なるのが好ましい。
【０００９】
上記第１陳列部及び第２陳列部は、例えば互いに平行をなす直線状の棒材によって構成できる。
この場合は、上記第１陳列部と第２陳列部の少なくとも一方の上記一対の棒材の間に、商品を載置可能な商品載置面を備えるパレットを支持可能とするのがよい。
【００１０】
上記第１接床部及び第２接床部が、少なくとも３つ備えられているのが好ましい。
この場合は、第１接床部の一部が上記陳列装置に対する取付位置を変えることなくそのまま第２接床部として利用可能であり、該第１接床部の残りが着脱式であり、上記陳列装置に対する取付位置を変更することにより上記第２接床部として利用可能であるのが好ましい。
【００１１】
上記第１接床部及び第２接床部は車輪とすることが可能である。
【００１２】
上記第１陳列部または第２陳列部のうち略水平状態にあるものに載置された商品の情報を表示するための表示部材を取り付けるための取付部を具備するが好ましい。
【考案の効果】
【００１３】
第１接床部を床面に載置すれば第１陳列部に商品を陳列可能となり、第２接床部を床面に載置すれば第２陳列部に商品を陳列可能となるので、簡単な構造でありながら一つの陳列装置によって２つの使用態様を提供できる。
【考案を実施するための最良の形態】
【００１４】
以下、本考案の一実施形態について添付図面を参照しながら説明する。なお、以下の説明中の前後及び左右の方向は図中に矢印で明示した方向を基準としている。
まず、本実施形態の陳列装置１０の全体構造について説明する。
陳列装置１０は金属製のパイプ材を曲折して成形した矩形枠状の基枠１１を備えている。基枠１１の一端には一対の金属製の第１車輪取付部１２が一体的に突設されている。この第１車輪取付部１２の先端は開口しており、この先端開口部に図２に示すキャスターＣの取付軸Ｃａを着脱可能である。キャスターＣは取付軸Ｃａに対して取付軸Ｃａ回りに回転可能な支持枠Ｃｂを具備し、この支持枠Ｃｂで第１車輪Ｃｃを回転可能に支持している。なお図示は省略してあるが、このキャスターＣには支持枠Ｃｂの回転（方向転換）を防止すると共に第１車輪Ｃｃの回転を防止するためのストッパ機構が設けられている。
基枠１１の左右両側面には金属からなる菱形形状の固定板１３が一対としてそれぞれ固着されている。左右の固定板１３には金属製のチャンネル材である第２車輪取付部１４が固着されている。第２車輪取付部１４の底面には３つの雌ねじ孔１５が並べて穿設されている（図１１参照）。さらに図１及び図１１に示すように、固定板１３の２番目の雌ねじ孔１５と対応する位置には円形孔１６が穿設されている。
【００１５】
左右の第２車輪取付部１４には図３及び図４に示した車輪付スタンド１８を着脱可能である。この車輪付スタンド１８は、左右一対の金属製のパイプ材からなるスタンド１９の下端面同士を金属製の回転軸２０で結合し、回転軸２０の左右両端部に第２車輪２１を回転可能に取り付けたものである。図４に示すように左右のスタンド１９の内外両側面の対応する位置には２つの調整孔２２が穿設されている（上下に並ぶ調整孔２２同士の間隔は隣り合う雌ねじ孔１５同士の間隔と同一である）。
左右のスタンド１９を左右の第２車輪取付部１４内にそれぞれ嵌合し、スタンド１９の２つの調整孔２２を第２車輪取付部１４の２つの雌ねじ孔１５（及び円形孔１６）と対向させて（同じ高さに位置させて）、対向する調整孔２２と雌ねじ孔１５（及び円形孔１６）に２本のボルトＢ１をそれぞれ挿入し、ボルトＢ１を雌ねじ孔１５に螺合することにより（２段目の雌ねじ孔１５に螺合したボルトＢ１の先端は円形孔１６を貫通する）、左右のスタンド１９を左右の第２車輪取付部１４にそれぞれ固定可能である。図１、図５及び図６では、スタンド１９の２つの調整孔２２を第１陳列部３８側に位置する２つの雌ねじ孔１５（及び円形孔１６）と対向させ、これら２組の雌ねじ孔１５、円形孔１６、調整孔２２にボルトＢ１を挿入しており、図１２及び図１３では、スタンド１９の２つの調整孔２２を第２車輪２１側に位置する２つの雌ねじ孔１５（及び円形孔１６）と対向させ、これら２組の雌ねじ孔１５、円形孔１６、調整孔２２にボルトＢ１を挿入している。このようにスタンド１９の第２車輪取付部１４に対する取付位置は２段階で調整可能であり、図１２及び図１３の方が図１、図５及び図６の場合に比べて第２車輪２１から固定板１３までの距離が長くなる。
【００１６】
基枠１１の第１車輪取付部１２と反対側の面（図１及び図６では上面、図１２では前面）には、側面視で階段状をなす金属製の陳列棚２５が固着されている。
陳列棚２５の第１車輪取付部１２側の端部（図１及び図６では前端部、図１２では上端部）は、側面視でＬ字形をなすと共に左右対称形状をなす第１棚部２６によって構成されている。第１棚部２６はパイプ材を曲折したものであり、左右一対で互いに平行をなす直線状の第１陳列部２７と、左右の第１陳列部２７の一方の端部同士を連結する連結部２８と、左右の第１陳列部２７の他方の端部から第１陳列部２７と直交する方向に延出する一対の直線状の第２陳列部２９とを有している（一対の第２陳列部２９どうしは互いに平行）。第１陳列部２７と第２陳列部２９を連結する角部が基枠１１に固着されている。さらに、第１陳列部２７と基枠１１とに左右一対の補強部材３０の両端部が固着されている。また連結部２８には左右一対の円柱突起（取付部）３１が突設されている。円柱突起３１の先端面には図示を省略した雌ねじ孔が形成されており、この円柱突起３１には後述する表示部材５０を取り付け可能である。
【００１７】
左右の第２陳列部２９の先端部近傍には、側面視でＬ字形をなす左右一対の第２棚部３３が左右対称となるように固着されている。この第２棚部３３は金属製のパイプ材を曲折した部材であり、第２棚部３３は第１陳列部２７と平行な直線状の第１陳列部３４を具備しており、この第１陳列部３４の先端面が左右の第２陳列部２９にそれぞれ固着されている。左右の第１陳列部３４からは第１陳列部３４に対して直交する（第２陳列部２９と平行な）直線状の第２陳列部３５が延出している（一対の第２陳列部３５どうしは互いに平行）。さらに、第１陳列部３４と第２陳列部３５を連結する角部が基枠１１に固着されている。
左右の第２陳列部３５の先端部近傍には、金属製のパイプ材を曲折した側面視でＬ字形をなす第３棚部３７が固着されている。第３棚部３７は左右対称形状をなす部材である。第３棚部３７は左右一対の直線状の第１陳列部３８を具備しており、左右の第１陳列部３８の先端面が第２陳列部３５に固着されている。左右の第１陳列部３８は第１陳列部２７及び第１陳列部３４と平行である。左右の第１陳列部３８からは第１陳列部３８に対して直交する（第２陳列部２９及び第２陳列部３５と平行な）直線状の第２陳列部３９が延出している（一対の第２陳列部３９どうしは互いに平行）。さらに、左右の第２陳列部３９の端部同士は連結部４０によって連結されている。第１陳列部３８と第２陳列部３９を連結する角部は基枠１１に固着されており、かつ左右の第２車輪取付部１４の先端部が左右の第１陳列部３８の中間部にそれぞれ固着されている。さらに左右の第２陳列部３９には一対の第３車輪取付部４１（第１車輪取付部１２と同形状）がそれぞれ突設されている。この第３車輪取付部４１にはキャスターＣの取付軸Ｃａを着脱可能である。
【００１８】
次に陳列装置１０を用いて商品であるタイヤＡを陳列する要領について説明する。
まず第１の使用態様について説明する。
第１の使用態様は図６及び図７に示す態様である。この場合キャスターＣの取付軸Ｃａは第１車輪取付部１２に取り付け、左右の第１車輪Ｃｃ及び第２車輪２１を床面ＦＬに載置する。すると、第１陳列部２７、第１陳列部３４及び第１陳列部３８が略水平（床面ＦＬと略平行）になり、第２陳列部３９、第２陳列部３５及び第２陳列部２９は略垂直になる。
この場合は第１陳列部２７、第１陳列部３４及び第１陳列部３８にプラスチック等の樹脂によって成形されたパレット４５を載置する。パレット４５の上面は扁平な商品載置面４６となっており、パレット４５の下面四隅には突部４７が突設されている。図８に示すように、各パレット４５は右側の突部４７が右側の第１陳列部２７（第１陳列部３４、第１陳列部３８）の右側に位置し、左側の突部４７が左側の第１陳列部２７（第１陳列部３４、第１陳列部３８）の左側に位置する態様で左右の第１陳列部２７（第１陳列部３４、第１陳列部３８）の上面に載置される。このとき、１段目（最下段）に位置するパレット４５の後方への移動は第２陳列部２９によって規制され、前方への移動は円柱突起３１（表示部材５０）によって規制される。また２段目のパレット４５の前方への移動は第２陳列部２９の上端部によって規制され、後方への移動は第２陳列部３５によって規制される。さらに、３段目のパレット４５の前方への移動は第２陳列部３５の上端部によって規制され、後方への移動は第２陳列部３９によって規制される。
図６に示すように、各パレット４５には商品であるタイヤＡを寝かせた状態で載置可能であり、この寝かせたタイヤＡの中心孔部に別のタイヤＡを立てた状態で載置できる。
【００１９】
さらにこの使用態様においては円柱突起３１に表示部材５０を取り付ける。
図９及び図１０に示すように表示部材５０は、表示板５１と、表示板５１の一側辺部に一体的に突設された断面形状がＬ字形をなす係合部５２とを具備している。表示板５１には左右一対の係止孔５３が穿設されており、係合部５２には左右一対の係止孔５４が穿設されている。
この使用態様においては図１、図６及び図１０に示すように、係合部５２の下面に左右の円柱突起３１の端面をそれぞれ接触させ、左右の円柱突起３１を左右の係止孔５４とそれぞれ対応させる。この状態でボルトＢ２を左右の係止孔５４に挿入すると共に左右の円柱突起３１の雌ねじ孔に螺合することにより、表示部材５０を左右の円柱突起３１に着脱可能に取り付けることが可能である。表示部材５０を左右の円柱突起３１に取り付けると、表示板５１の表示面５５（タイヤＡの商品名や値段が記載された面）が表示板５１の前面に現れるので、顧客に対してタイヤＡに関する商品情報を提供できる。
【００２０】
図１２から図１４は第２の使用態様を図示している。
この場合は第３車輪取付部４１にキャスターＣの取付軸Ｃａを取り付けて、左右の第１車輪Ｃｃと第２車輪２１を床面ＦＬに載置し、第２陳列部３９、第２陳列部３５及び第２陳列部２９を略水平（床面ＦＬと略平行）にし、第１陳列部２７、第１陳列部３４及び第１陳列部３８を略垂直にする。さらに各パレット４５を陳列装置１０から取り外す。
また図１４に示すように、陳列装置１０の上端部に位置する左右の円柱突起３１の端面に表示部材５０の裏面を当接させ、左右の係止孔５３と左右の円柱突起３１の雌ねじ孔を対応させ、さらに左右の係止孔５３に挿入したボルトＢ２を円柱突起３１の雌ねじ孔にそれぞれ螺合する。このようして表示部材５０を左右の円柱突起３１に着脱可能に取り付けると、表示部材５０の表示面５５が表示板５１の前面に位置する。
この使用態様では左右の第２陳列部３９、第２陳列部３５及び第２陳列部２９の間に立てた状態のタイヤＡを載置する。
【００２１】
以上説明したように本実施形態によれば、一つの陳列装置１０によって２つの使用態様を提供できる。
また、第１陳列部２７、３４、３８と第２陳列部２９、３５、３９の形状（長さ）が異なるので、第１陳列部２７、３４、３８と第２陳列部２９、３５、３９には同種の商品を違う態様で陳列できる。さらに、陳列する商品の寸法に応じて第１陳列部２７、３４、３８と第２陳列部２９、３５、３９の一方を選択して使用できる。
さらに陳列装置１０は金属製のパイプ材を組み合わせた簡単な構造なので、陳列装置１０の製造コストは低く抑えることが可能である。
また各第１車輪Ｃｃ及び第２車輪２１が、第１陳列部２７、３４、３８が使用可能なときに接床する第１接床部として使用できるだけでなく、第２陳列部２９、３５、３９が使用可能なときに接床する第２接床部として使用できる（兼用できる）ので、部品点数の増加が抑制されている。
【００２２】
本実施形態のタイヤＡは商品の一例であり、他の商品を陳列可能なのは言うまでもない。
また、第１の使用態様ではパレット４５を用いたが、パレット４５を用いずに各第１陳列部２７、第１陳列部３４、第１陳列部３８にタイヤＡを直接載置して陳列することも可能である。さらに第２の使用態様において、各第２陳列部３９、第２陳列部３５及び第２陳列部２９にパレット４５より小寸のパレット（図示略）を載置して、この小寸パレットに商品を陳列することも可能である。
さらに第１陳列部２７、３４、３８と第２陳列部３９、３５、２９の数は３つ以外の数であってもよい。
さらにキャスターＣ（第１車輪Ｃｃ）と第２車輪２１を計４つ具備しているが、これらは合計３つ以上あれば陳列装置１０を安定した状態で支持できるので、合計３つ以上であればいくつでもよい。
【図面の簡単な説明】
【００２３】
【図１】本考案の一実施形態である陳列装置を前方から見た斜視図である。
【図２】キャスターの斜視図である。
【図３】車輪付スタンドの正面図である。
【図４】車輪付スタンドの側面図である。
【図５】陳列装置の正面図である。
【図６】陳列装置を用いた第１の使用態様を示す斜視図である。
【図７】第１の使用態様における陳列装置の側面図である。
【図８】図７のVIII-VII矢線に沿う断面図である。
【図９】表示部材の正面図である。
【図１０】第１の使用態様における連結部と表示部材の横断面図である。
【図１１】固定板及び第２車輪取付部の側面図である。
【図１２】陳列装置を用いた第２の使用態様を示す斜視図である。
【図１３】第２の使用態様における陳列装置の側面図である。
【図１４】図１３のXIV部分の拡大図である。
【符号の説明】
【００２４】
１０    陳列装置
１１    基枠
１２    第１車輪取付部
１３    固定板
１４    第２車輪取付部
１５    雌ねじ孔
１６    円形孔
１８    車輪付スタンド
１９    スタンド
２０    回転軸
２１    第２車輪
２２    調整孔
２５    陳列棚
２６    第１棚部
２７    第１陳列部
２８    連結部
２９    第２陳列部
３０    補強部材
３１    円柱突起（取付部）
３３    第２棚部
３４    第１陳列部
３５    第２陳列部
３７    第３棚部
３８    第１陳列部
３９    第２陳列部
４０    連結部
４１    第３車輪取付部
４５    パレット
４６    商品載置面
４７    突部
５０    表示部材
５１    表示板
５２    係合部
５３  ５４  係止孔
５５    表示面
Ａ    タイヤ（商品）
Ｂ１  Ｂ２  ボルト
Ｃ    キャスター
Ｃａ  取付軸
Ｃｂ  支持枠
Ｃｃ  第１車輪
【図１】
0003119907.tif 000003
【図２】
0003119907.tif 000004
【図３】
0003119907.tif 000005
【図４】
0003119907.tif 000006
【図５】
0003119907.tif 000007
【図６】
0003119907.tif 000008
【図７】
0003119907.tif 000009
【図８】
0003119907.tif 000010
【図９】
0003119907.tif 000011
【図１０】
0003119907.tif 000012
【図１１】
0003119907.tif 000013
【図１２】
0003119907.tif 000014
【図１３】
0003119907.tif 000015
【図１４】
0003119907.tif 000016